(57)【要約】【課題】  保管や設置が容易でコスト的に有利な防水扉及びこれを用いた浸水防止構造体を提供する。【解決手段】  防水扉１７は折畳み自在に連結された一対の第１パネル２０及び第２パネル２１からなる。第１パネル２０は、外縁が矩形形状のリング状に形成された枠体２３と、枠体２３の内方を塞ぐように枠体２３の一方面に布設されたシート体２４とから構成されている。一方、第２パネル２１は、第１パネル２０と同様に構成されている。そして、第１パネル２０の第１垂直部材２６と第２パネル２１の第１垂直部材３６とが上下に配置された一対のヒンジ４２ａ及びヒンジ４２ｂによって開閉自在に連結されている。又、第１パネル２０において、外側面には水密状態を形成できるパッキン４４が、底面には水密状態を形成できるパッキン４５が設置されている。第２パネル２１も第１パネル２０と同様にパッキン４９及びパッキン５０を備えている。【選択図】      図１
2013238007.tif 000002
【特許請求の範囲】
【請求項１】
一対の側壁の間と床面の上とに設置される防水扉であって、
折り畳み自在に連結された少なくとも一対の第１パネル及び第２パネルからなり、
前記第１パネル及び前記第２パネルは、畳んだ状態で保管され、展開した状態で前記側壁の各々の間に架け渡すように使用される、防水扉。
【請求項２】
前記第１パネル及び前記第２パネルの各々は、
外縁が矩形形状のリング状の枠体と、
前記枠体の内方を塞ぐように前記枠体の少なくとも一方面に布設されたシート体とを備えた、請求項１記載の防水扉。
【請求項３】
前記枠体は、
水平方向に対向する第１垂直部材及び第２垂直部材と、
垂直方向に上下に対向する第１水平部材及び第２水平部材とから構成され、
前記第１パネル及び前記第２パネルは、各々の前記第１垂直部材を介して連結され、
前記第１パネルの前記第１垂直部材及び前記第２パネルの前記第１垂直部材の少なくとも一方に、前記第１パネル及び前記第２パネルを展開した時にこれらの間を水密状態に連結するためのパッキンが設置される、請求項２記載の防水扉。
【請求項４】
前記第１パネル及び前記第２パネルの各々の前記枠体において前記第２垂直部材の外側面及び前記第２水平部材の下面に水密状態を形成するためのパッキンが設置される、請求項３記載の防水扉。
【請求項５】
浸水防止構造体であって、
請求項４記載の防水扉と、
前記側壁の各々に対向して水密状態で設置され、水平断面の少なくとも一部が平面視コの字状の一対の第１支持体及び第２支持体とからなり、
前記防水扉の展開時に、前記第１パネルの前記第２垂直部材が前記第１支持体に、前記第２パネルの前記第２垂直部材が前記第２支持体に各々嵌め込まれ、前記防水扉と前記側壁及び前記床面との間が水密状態となる、浸水防止構造体。
【請求項６】
前記第１支持体及び前記第２支持体の各々には、嵌め込まれた状態の前記防水扉を下方に押圧する垂直押圧手段を含む、請求項５記載の浸水防止構造体。
【請求項７】
前記防水扉の展開時に、前記第１パネルの前記第１水平部材及び前記第２パネルの前記第１水平部材を一体的に覆うように設置され、これらの展開状態を保持する保持部材を更に備え、
前記垂直押圧手段は、前記保持部材を介して前記第１パネル及び前記第２パネルを押圧する、請求項６記載の浸水防止構造体。
【請求項８】
前記第１支持体及び前記第２支持体の各々には、嵌め込まれた状態の前記防水扉を前記コの字状の部分に挟み込む方向に押圧する水平押圧手段を含む、請求項５から請求項７のいずれかに記載の浸水防止構造体。
【請求項９】
一対の側壁の間と床面の上に設置される防水扉であって、
外縁が矩形形状のリング状の枠体と、
前記枠体の内方を塞ぐように前記枠体の少なくとも一方面に布設されたシート体と、
前記枠体の両外側面及び底面に設置された、水密状態を形成するためのパッキンとを備えた、防水扉。
【発明の詳細な説明】
【技術分野】
【０００１】
この発明は防水扉及びこれを用いた浸水防止構造体に関し、特に建造物内や地下街への入口の浸水防止のために用いられる防水扉及びこれを用いた浸水防止構造体に関するものである。
【背景技術】
【０００２】
従来、建造物や地下街への入口は豪雨等によって水が建物内や地下街に侵入することを防止するための対策が採られていることが多い。
【０００３】
この対策として特許文献１に示されているようなパネル式防水扉が提案されている。具体的には、金属製の板状のパネルを別途準備して保管しておく。一方、建物への入口を構成する構造物の両外側面には、上記パネルを上部から挿入できる一対の支柱が設置されている。
【０００４】
そして、豪雨等の非常時には、パネルを保管場所から運び支柱に挿入することで地下への浸水を防止する。
又、上記のような手動式に代えて、パネルや防水シートが自動的に床面から上昇して浸水を防止する防水扉構造も提案されている。緊急の際に人手がなくてもスイッチを入れることで浸水を防止できるため使用勝手が良い。
【先行技術文献】
【特許文献】
【０００５】
【特許文献１】特開２００７−２１７９９３号公報
【発明の概要】
【発明が解決しようとする課題】
【０００６】
上記のような従来の防水扉では、緊急時における防水効果はあるものの、設置や準備の点で問題がある。
【０００７】
先の防水扉では、パネルが重く、又、設置には支柱の上方から挿入する必要があるため、取り扱いに難点がある。又、建造物の入口の幅に応じてパネルの幅が大きくなると、パネルの保管場所の確保に制約を生じる虞がある。
【０００８】
又、後の防水扉では、建造物の入口の下方にパネル等を格納しておくスペースを確保する必要があり、自動式の構造と相まってコスト的に不利なものとなり易い。
【０００９】
この発明は上記のような課題を解決するためになされたもので、保管や設置が容易でコスト的に有利な防水扉及びこれを用いた浸水防止構造体を提供することを目的とする。
【課題を解決するための手段】
【００１０】
上記の目的を達成するために、請求項１記載の発明は、一対の側壁の間と床面の上とに設置される防水扉であって、折り畳み自在に連結された少なくとも一対の第１パネル及び第２パネルからなり、第１パネル及び第２パネルは、畳んだ状態で保管され、展開した状態で側壁の各々の間に架け渡すように使用されるものである。
【００１１】
このように構成すると、不使用時には、第１パネル及び第２パネルはコンパクトになる。
【００１２】
請求項２記載の発明は、請求項１記載の発明の構成において、第１パネル及び第２パネルの各々は、外縁が矩形形状のリング状の枠体と、枠体の内方を塞ぐように枠体の少なくとも一方面に布設されたシート体とを備えたものである。
【００１３】
このように構成すると、枠体が防水扉の骨組みとなる。
【００１４】
請求項３記載の発明は、請求項２記載の発明の構成において、枠体は、水平方向に対向する第１垂直部材及び第２垂直部材と、垂直方向に上下に対向する第１水平部材及び第２水平部材とから構成され、第１パネル及び第２パネルは、各々の第１垂直部材を介して連結され、第１パネルの第１垂直部材及び第２パネルの第１垂直部材の少なくとも一方に、第１パネル及び第２パネルを展開した時にこれらの間を水密状態に連結するためのパッキンが設置されるものである。
【００１５】
このように構成すると、展開時に第１パネルと第２パネルとの間が水密状態になる。
【００１６】
請求項４記載の発明は、請求項３記載の発明の構成において、第１パネル及び第２パネルの各々の枠体において第２垂直部材の外側面及び第２水平部材の下面に水密状態を形成するためのパッキンが設置されるものである。
【００１７】
このように構成すると、第１パネル及び第２パネルの設置時に側壁及び床面との間が水密状態となる。
【００１８】
請求項５記載の発明は、浸水防止構造体であって、請求項４記載の防水扉と、側壁の各々に対向して水密状態で設置され、水平断面の少なくとも一部が平面視コの字状の一対の第１支持体及び第２支持体とからなり、防水扉の展開時に、第１パネルの第２垂直部材が第１支持体に、第２パネルの第２垂直部材が第２支持体に各々嵌め込まれ、防水扉と側壁及び床面との間が水密状態となるものである。
【００１９】
このように構成すると、防水扉が第１支持体及び第２支持体に支持された状態で設置される。
【００２０】
請求項６記載の発明は、請求項５記載の発明の構成において、第１支持体及び第２支持体の各々には、嵌め込まれた状態の防水扉を下方に押圧する垂直押圧手段を含むものである。
【００２１】
このように構成すると、第１パネル及び第２パネルと床面との間の水密状態がより向上する。
【００２２】
請求項７記載の発明は、請求項６記載の発明の構成において、防水扉の展開時に、第１パネルの第１水平部材及び第２パネルの第１水平部材を一体的に覆うように設置され、これらの展開状態を保持する保持部材を更に備え、垂直押圧手段は、保持部材を介して第１パネル及び前記第２パネルを押圧するものである。
【００２３】
このように構成すると、第１パネル及び第２パネルの展開状態が安定する。
【００２４】
請求項８記載の発明は、請求項５から請求項７のいずれかに記載の発明の構成において、第１支持体及び第２支持体の各々には、嵌め込まれた状態の防水扉をコの字状の部分に挟み込む方向に押圧する水平押圧手段を含むものである。
【００２５】
このように構成すると、防水扉が不用意に第１支持体及び第２支持体から外れない。
【００２６】
請求項９記載の発明は、一対の側壁の間と床面の上に設置される防水扉であって、外縁が矩形形状のリング状の枠体と、枠体の内方を塞ぐように枠体の少なくとも一方面に布設されたシート体と、枠体の両外側面及び底面に設置された、水密状態を形成するためのパッキンとを備えたものである。
【００２７】
このように構成すると、枠体が防水扉の骨組みとなる。
【発明の効果】
【００２８】
以上説明したように、請求項１記載の発明は、第１パネル及び第２パネルは不使用時にはコンパクトになるので、保管が容易となる。
【００２９】
請求項２記載の発明は、請求項１記載の発明の効果に加えて、枠体が防水扉の骨組みとなるので、全体重量が軽減され、取り扱いが容易となる。
【００３０】
請求項３記載の発明は、請求項２記載の発明の効果に加えて、展開時に第１パネルと第２パネルとの間が水密状態になるので、効率的な水密構造となる。
【００３１】
請求項４記載の発明は、請求項３記載の発明の効果に加えて、設置時に第１パネル及び第２パネルと側壁及び床面との間が水密状態となるので、水密状態の形成が容易となる。
【００３２】
請求項５記載の発明は、防水扉が第１支持体及び第２支持体に支持された状態で設置されるので、防水扉の取付け状態が安定する。
【００３３】
請求項６記載の発明は、請求項５記載の発明の効果に加えて、第１パネル及び第２パネルと床面との間の水密状態がより向上するので、信頼性が向上する。
【００３４】
請求項７記載の発明は、請求項６記載の発明の効果に加えて、第１パネル及び第２パネルの展開状態が安定するので、防水扉は不用意に移動せず、防水効果が向上する。
【００３５】
請求項８記載の発明は、請求項５から請求項７のいずれかに記載の発明の効果に加えて、防水扉が不用意に第１支持体及び第２支持体から外れないので、防水扉の取付け状態が安定する。
【００３６】
請求項９記載の発明は、枠体が防水扉の骨組みとなるので、全体重量が軽減され、取り扱いが容易となる。
【図面の簡単な説明】
【００３７】
【図１】この発明の第１の実施の形態による防水扉の概略構造を示した斜視図である。
【図２】図１におけるＩＩ−ＩＩラインの断面図である。
【図３】図１における“Ｘ”部分を下方から見た拡大図である。
【図４】図１で示した防水扉を設置した浸水防止構造体の外観形状を示した正面図である。
【図５】図４の浸水防止構造体の背面図である。
【図６】図４におけるＶＩ−ＶＩラインの拡大断面図である。
【図７】図５におけるＶＩＩ−ＶＩＩラインの断面図であって、防水扉の取付け状態を示した概略工程図である。
【図８】この発明の第２の実施の形態による防水扉の外観形状を示した斜視図である。
【図９】図８で示した防水扉を設置した浸水防止構造体の外観形状を示した正面図である。
【図１０】図９におけるＸ−Ｘラインの拡大断面図である。
【図１１】この発明の第３の実施の形態による防水扉の外観形状を示した斜視図である。
【図１２】この発明の第４の実施の形態による防水扉の外観形状を示した斜視図である。
【図１３】この発明の第５の実施の形態による防水扉を設置した浸水防止構造体の断面形状を示した図である。
【図１４】この発明の第６の実施の形態による防水扉の外観形状を示した図であり、第１の実施の形態による図１に対応した図である。
【発明を実施するための形態】
【００３８】
図１はこの発明の第１の実施の形態による防水扉の概略構造を示した斜視図であり、図２は図１におけるＩＩ−ＩＩラインの断面図であり、図３は図１における“Ｘ”部分を下方から見た拡大図である。
【００３９】
これらの図を参照して、防水扉１７は折畳み自在に連結された一対の第１パネル２０及び第２パネル２１からなる。第１パネル２０は、外縁が矩形形状のリング状に形成された、例えばアルミ合金よりなる枠体２３と、枠体２３の内方を塞ぐように枠体２３の一方面に接着等によって貼り付けられて布設された、例えば繊維補強されたゴムシートよりなるシート体２４とから構成されている。枠体２３は、水平方向に対向する第１垂直部材２６及び第２垂直部材２７と、垂直方向に上下に対向する第１水平部材２９及び第２水平部材３０とで全体が形作られて一体的に形成されている。
【００４０】
一方、第２パネル２１は、第１パネル２０と同様に、外縁が矩形形状のリング状に形成された、例えばアルミ合金よりなる枠体３３と、枠体３３の内方を塞ぐように枠体３３の一方面に布設された、例えば繊維補強されたゴムシートよりなるシート体３４とから構成されている。又、枠体３３は、水平方向に対向する第１垂直部材３６及び第２垂直部材３７と、垂直方向に上下に対向する第１水平部材３９及び第２水平部材４０とで全体が形作られて一体的に形成されている。
【００４１】
そして、第１パネル２０の第１垂直部材２６と第２パネル２１の第１垂直部材３６とが上下に配置された一対のヒンジ４２ａ及びヒンジ４２ｂによって開閉自在に連結されている。
【００４２】
又、第１パネル２０において、第２垂直部材２７の外側面には水密状態を形成できるパッキン４４が、第２水平部材３０の底面には水密状態を形成できるパッキン４５が、第２垂直部材２７のシート体２４側とは反対面には水密状態を形成できるパッキン４６が各部材に沿って設置されている。これらの使用効果については後述する。
【００４３】
同様に、第２パネル２１において、第２垂直部材３７の外側面には水密状態を形成できるパッキン４９が、第２水平部材４０の底面には水密状態を形成できるパッキン５０が、第２垂直部材３７のシート体３４側とは反対面には水密状態を形成できるパッキン５１が各部材に沿って設置されている。これらの使用効果についても後述する。
【００４４】
更に、第２パネル２１の第１垂直部材３６の外側面には水密状態を形成できるパッキン５２が設置されているが、対向する第１パネル２０の第１垂直部材２６には何も設置されていない。この使用効果についても後述する。
【００４５】
このように防水扉１７は第１パネル２０及び第２パネル２１で折り畳み自在に形成されているが、後述するように、使用時に展開して設置する。不使用時には折畳んだ状態で保管すれば良いので、全体的にコンパクトになり保管が容易となる。又、防水扉１７は枠体２３及び枠体３３が骨組み構造となるため、金属パネルによる一体的なものに比べて全体重量が軽減され取り扱いが容易となる。
【００４６】
図４は図１で示した防水扉を設置した浸水防止構造体の外観形状を示した正面図であり、図５はその背面図であり、図６は図４におけるＶＩ−ＶＩラインの拡大断面図である。尚、正面は建造物に向かった面とし、背面は建造物から見た面としている。すなわち、正面側から背面側への浸水を想定している。
【００４７】
これらの図を参照して、浸水防止構造体５３は建造物の開口を形成する側壁５４ａ及び側壁５４ｂの間であってそれらの間の床面５５上に設置されている。具体的には、浸水防止構造体５３は側壁５４ａ及び側壁５４ｂの各々に水密状態で設置された一対の第１支持体５７及び第２支持体５８と、これらに展開状態で第１パネル２０及び第２パネル２１が嵌め込まれた状態の防水扉１７とから構成される。尚、第１支持体５７及び第２支持体５８は対称構造であるので、以下では主に第１支持体５７を中心に説明する。
【００４８】
第１支持体５７は例えば鋼製よりなり、側壁５４ａに固定される板状に延びる平板部６１と、平板部６１の背面側に接続され、側壁５４ａの面に直交する方向に延びる板状の背面部６７と、平板部６１の正面側の上下２か所に接続され、側壁５４ａの面に直交する方向に延びる１対の板状の垂直突出部６２ａ及び垂直突出部６２ｂと、平板部６１の上端に接続され、側壁５４ａの面に直交する方向に延びる板状の水平突出部６３とから構成される。このため垂直突出部６２ａ及び垂直突出部６２ｂの部分を通る水平断面は、平板部６１と背面部６７とを併せて平面視コの字状となる。第１支持体５７及び第２支持体５８におけるこのコの字状部分に防水扉１７の第１パネル２０及び第２パネル２１が嵌め込まれて設置されるが、この設置方法については後述する。
【００４９】
第１支持体５７の垂直突出部６２ａ及び垂直突出部６２ｂには、各々ボルト６５ａ及びボルト６５ｂが螺合自在に取付けられている。又、第１支持体５７の水平突出部６３にもボルト６６が螺合自在に取付けられている。これによって、図６に示されているように嵌め込まれた第１パネル２０のシート体３４及び第２垂直部材２７がボルト６５ａ及びボルト６５ｂ（水平押圧手段）の螺合によって第１支持体５７の第１支持体５７に押し付けられるように固定される。この固定は第２支持体５８側でも同様に行われるため防水扉１７は不用意に移動したりする虞がなく、安定した状態で第１支持体５７及び第２支持体５８に取付けられることになる。又、第１パネル２０及び第２パネル２１の第２垂直部材２７及び第２垂直部材３７には上述のようにパッキン４６及びパッキン５１が設置されているため、これらが圧縮され、第１支持体５７及び第２支持体５８を介して側壁５４ａ及び側壁５４ｂとの間の水密状態が確保される。
【００５０】
更に、図６に示されているように嵌め込まれた第１パネル２０の第１水平部材２９がボルト６６（垂直押圧手段）の螺合によって床面５５に向かって押し付けられるように固定される。この固定は第２支持体５８側でも同様に行われるため第１パネル２０及び第２パネル２１は不用意に床面５５から浮き上がることなく、各々の第２水平部材３０及び第２水平部材４０の下面に設置されたパッキン４５及びパッキン５０が床面５５に押し付けられる。これによって、浸水防止構造体５３の底面における水密状態が確保される。
【００５１】
図７は図５におけるＶＩＩ−ＶＩＩラインの断面図であって、防水扉の取付け状態を示した概略工程図である。
【００５２】
図の（１）を参照して、防水扉１７を第１支持体５７及び第２支持体５８に取付ける際には、防水扉１７の第１パネル２０及び第２パネル２１を完全に展開した平板状態ではなく、少し畳んだ状態にする。ここで、圧縮前のパッキン４４及びパッキン４９の厚さを加えた防水扉１７の展開時の最大幅と、その外面に取付けたパッキンの厚さを除いた距離Ｌとの間に、対向する第１支持体５７及び第２支持体５８の内面同士の距離Ｗが入るように設定されている。したがって、この少し畳んだ状態で第１パネル２０及び第２パネル２１の両側を第１支持体５７及び第２支持体５８の各々に嵌め込むことができる。そして第１パネル２０及び第２パネル２１を完全に展開状態にした状態にし、その状態で第１支持体５７のボルト６５ｂ等やボルト６６等を左右同様に締め込んで図（２）に示した状態に第１パネル２０及び第２パネル２１を固定する。
【００５３】
そうすると、第２パネル２１の第１垂直部材３６に設置されたパッキン５２は展開に伴って第１パネル２０の第１垂直部材２６によって挟まれて圧縮され、その間が水密状態になる。又、上述の寸法関係から第１パネル２０の第２垂直部材２７に設置されたパッキン４４及びパッキン４６も第１支持体５７の平板部６１及び背面部６７に対して圧縮され、その間が水密状態になる。この水密状態は第２支持体５８の側も同様に形成される。更に、図４等でも説明したように、第１パネル２０及び第２パネル２１の下面に設置された第２水平部材３０及びパッキン５０も床面に押圧されて圧縮され、その間が水密状態になる。このようにして、防水扉１７の両側面、下面及び第１パネル２０と第２パネル２１との連結部が全て水密状態となり、浸水防止構造体５３の建造物への浸水防止効果が発揮される。
【００５４】
尚、上記のように、水平押圧手段や垂直押圧手段となるボルトを用いて防水扉１７を第１支持体５７及び第２支持体５８に固定しているが、これらの固定がなくても防水扉１７は第１支持体５７及び第２支持体５８や床面５５に押し付けられて水密状態を発揮するものである。すなわち、図７の（２）の取付け状態にあっては、浸水による力は図において上方から下方に加わるので、防水扉１７は展開した状態を保つことになる。
【００５５】
又、防水扉１７は、上述の寸法関係からその外側面に設置されたパッキン４４及びパッキン４９が第１支持体５７及び第２支持体５８に押さえつけられた状態になっているため、やはりその状態を保つことになるからである。更に、防水扉１７の自重によって床面５５に押し付けられた状態が保持される。したがって、この実施の形態における水平押圧手段や垂直押圧手段は、防水扉１７をより賢固に取付け、水密効果をより高めるものと言える。
【００５６】
図８はこの発明の第２の実施の形態による防水扉の外観形状を示した斜視図であり、図９は図８で示した防水扉を設置した浸水防止構造体の外観形状を示した正面図であり、図１０は図９におけるＸ−Ｘラインの拡大断面図である。
【００５７】
基本的な構造は先に実施の形態によるものと変わらないので、その相違点を中心に説明する。
【００５８】
これらの図を参照して、防水扉１７を構成する、展開状態の第１パネル２０及び第２パネル２１の各々の第１水平部材２９及び第１水平部材３９を一体的に覆うような断面コの字状の保持部材６９が設置されている。上述のように第１パネル２０及び第２パネル２１によって折り畳み自在に連結されている。そのため、第１パネル２０及び第２パネル２１が不用意に折畳まれる方向に移動する虞があると共に連結部に大きな力が加わった場合ヒンジ４２ａ及びヒンジ４２ｂに損傷が生じる虞もある。このような状態になると、第１パネル２０と第２パネル２１との連結部の水密状態にも影響を与えることにもなり、好ましいものではない。
【００５９】
そこで、この実施の形態にあっては、保持部材６９を第１パネル２０及び第２パネル２１の上部に設置することでこれらの問題を解消している。すなわち、保持部材６９が展開状態の第１パネル２０及び第２パネル２１を一体的に覆うことによって、これらの連結状態が不用意に変化することが防止される。
【００６０】
更に、図９及び図１０から明らかなように、第１支持体５７のボルト６６等による下方向への押圧力は保持部材６９によって分散されると共に防水扉１７全体を床面に押し付ける効果を生じる。すなわち、保持部材６９が設置されていない構造に比べて防水扉１７による床面との水密状態がより安定する。
【００６１】
図１１はこの発明の第３の実施の形態による防水扉の外観形状を示した斜視図である。
【００６２】
基本的な構造は第１の実施の形態によるものと変わらないので、その相違点を中心に説明する。
【００６３】
図を参照して、防水扉１７を構成する第１パネル２０及び第２パネル２１がヒンジではなく、帯状のシート７１によって連結されている点が異なっている。すなわち、枠体２３の第１垂直部材２６と枠体３３の第１垂直部材３６との間に連続的にシート７１が布設されている。ここで、シート７１を水密性を有するものとすると、パッキン５２による効果に加えて連結部の水密状態が更に向上する。場合によっては、パッキン５２を省略することも可能となる。
【００６４】
図１２はこの発明の第４の実施の形態による防水扉の外観形状を示した斜視図である。
【００６５】
基本的な構造は第１の実施の形態によるものと変わらないので、その相違点を中心に説明する。
【００６６】
図を参照して、防水扉１７を構成する第１パネル２０及び第２パネル２１の枠体２３及び枠体３３に対して背面側にシート体７３を布設している。これにより、シート体７３は防水扉１７の水密性能と第１パネル２０及び第２パネル２１の連結機能とを併せて発揮する構成となり、コスト的に有利な構造となる。尚、正面側にも第１の実施の形態と同様のシート体を布設すれば、更に水密状態の信頼性が向上する。
【００６７】
図１３はこの発明の第５の実施の形態による防水扉を設置した浸水防止構造体の断面形状を示した図であって、第１の実施の形態による図７の（１）に対応した図である。
【００６８】
基本的な構造は第１の実施の形態によるものと変わらないので、その相違点を中心に説明する。
【００６９】
図を参照して、防水扉１７を構成する第１パネル２０及び第２パネル２１には、パッキン５２以外のパッキンが設置されていない。代わりに、第１支持体５７の平板部６１にパッキン７４が、第１支持体５７の背面部６７にパッキン７６が、床面５５にパッキン７５が、それぞれ取り付けられている。これによって、防水扉１７を第１支持体５７及び第２支持体５８に取付けた際、第１の実施の形態による防止扉を用いた浸水防止構造体と同様の水密状態が形成される。
【００７０】
図１４はこの発明の第６の実施の形態による防水扉の外観形状を示した図であり、第１の実施の形態による図１に対応した図である。
【００７１】
基本的な構造は第１の実施の形態によるものと変わらないので、その相違点を中心に説明する。
【００７２】
図を参照して、防水扉７８は他の実施の形態とは異なり、１枚のパネルで構成されている。すなわち、防水扉７８は「日」の字を横方向に倒した形状を有した枠体８０と、枠体８０の内方を塞ぐように一方面に布設されたシート体８１とから構成されている。左右に対向する垂直部材８６ａ及び垂直部材８６ｂに対して、その外側面には８３ａ及び８３ｂが、その背面側にはパッキン８５ａ及びパッキン８５ｂが各々設置されている。又、上下に対向する水平部材８７ａ及び水平部材８７ｂに対しては、下方の水平部材８７ｂの下面にパッキン８４が設置されている。
【００７３】
使用に際しては、第１の実施の形態のように、建物の両側壁に設置された支持体に嵌め込んで使用する。折り畳み構造でないためコンパクトにはならないが、枠体８０が骨組み構造となるため全体的に軽量となり、取り扱いが容易となる。又、折り畳み構造に比べて設置状態の剛性が向上するので、対象物への固定状態がより賢固となる。
【００７４】
尚、上記の各実施の形態にあっては、シート体は枠体の一方面に布設されているが、他方面にも布設しても良い。
【００７５】
又、上記の各実施の形態にあっては、枠体はアルミ合金よりなるが、樹脂材料や木材等の他の材料を用いても良く、又、その形状は他の形状であっても良い。
【００７６】
更に、上記の各実施の形態にあっては、シート体は繊維補強されたゴムシートよりなるが、金属シートや樹脂シート等の他の材料を用いても良い。
【００７７】
更に、上記の各実施の形態にあっては、支持体は特定形状を有しているが、防水扉が取り付けられる構造であれば他の形状であっても良い。
【００７８】
更に、上記の各実施の形態にあっては、支持体にボルトよりなる垂直押圧手段及び水平押圧手段が設けられているが、これらの押圧手段は一方のみでも良く、あるいはいずれもなくても良い。
【００７９】
更に、上記の各実施の形態にあっては、床面の上に直接防水扉を設置しているが、平坦度を高めるために金属プレートを敷設しても良く、あるいは一対の支持体と一体になった底板を備えた構造としても良い。
【００８０】
更に、上記の第１から第５の実施の形態にあっては、一対のパネルで防水扉は構成されているが、３枚以上のパネルを連結して防水扉を構成しても良く、このようなパネルは少なくとも一対のパネルの概念に含まれるものである。このようにすると、より幅の広い入口に対してもコンパクトに畳める防水扉を適用できる。
【００８１】
更に、上記の第１から第５の実施の形態にあっては、防水扉を構成するパネルに枠体が含まれているが、枠体は必ずしもなくても良い。そのような２以上のパネルでも連結構造とすると、コンパクトになるので取り扱いが容易となる。
【符号の説明】
【００８２】
１７、７８…防水扉
２０…第１パネル
２１…第２パネル
２３、３３、８０…枠体
２４、３４、７３、８１…シート体
２６、３６…第１垂直部材
２７、３７…第２垂直部材
２９、３９…第１水平部材
３０、４０…第２水平部材
４２…ヒンジ
４４、４５、４６、４９、５０、５１、５２、７４、７５、７６、８３、８４、８５…パッキン
５３…浸水防止構造体
５４…側壁
５５…床面
５７…第１支持体
５８…第２支持体
６１…平板部
６２…垂直突出部
６３…水平突出部
６５、６６…ボルト
６７…背面部
６９…保持部材
７１…シート
８６…垂直部材
８７…水平部材
尚、各図中同一符号は同一又は相当部分を示す。
【図１】
2013238007.tif 000003
【図２】
2013238007.tif 000004
【図３】
2013238007.tif 000005
【図４】
2013238007.tif 000006
【図５】
2013238007.tif 000007
【図６】
2013238007.tif 000008
【図７】
2013238007.tif 000009
【図８】
2013238007.tif 000010
【図９】
2013238007.tif 000011
【図１０】
2013238007.tif 000012
【図１１】
2013238007.tif 000013
【図１２】
2013238007.tif 000014
【図１３】
2013238007.tif 000015
【図１４】
2013238007.tif 000016